(57)【要約】      （修正有）【課題】  家庭用品の日照乾燥や陰干しを行うときに乾燥物品を簡単に自立させる補助具で、乾燥場所を選ばず、また、下面を痛めない家庭用品自立補助具の提供を目的とする。【解決手段】  傾斜角度を持った傾斜支柱１で乾燥物品６の背面を支え、傾斜支柱１と直角交差する受腕３は乾燥物品６の下面を支える。同時に傾斜支柱１および受腕３は転倒防止の役目も自から努める。傾斜支柱１および受腕３は乾燥物品６の厚さに合わせ調整移動を可能とする。これらの事項を特徴とする。【選択図】図１
2006280883.tif 000002
【特許請求の範囲】
【請求項１】
乾燥物品の背面を支える傾斜角度を持った傾斜支柱であって、これと乾燥物品の下面を支える受腕は傾斜支柱と直角交差されることを特徴とする家庭用品自立乾燥補助具。
【請求項２】
請求項１の傾斜支柱下端部分は背面への転倒防止の役目を与えている。同様に受腕下端部分は、傾斜支柱の下端部分とは反対の向きにあり前面への転倒防止の役目を与えていることを特徴とする家庭用品自立乾燥補助具。
【請求項３】
請求項１の傾斜支柱および受腕は、乾燥物品の厚さに合わせて調整移動を可能とし、傾斜支柱下端部分と受腕下端部分との平行接受面に調整後の結合のための系止孔と系止ピンを有していることを特徴とする家庭用品自立補助具。
【発明の詳細な説明】
【技術分野】
【０００１】  本発明は、家庭用品自立乾燥補助具に関する。
【背景技術】
【０００２】  従来、家庭で使用される比較的柔軟性のない寝具マットレス、畳等の大型家庭用品から、座布団、風呂蓋、まな板等の小物に至る家庭用品の日照乾燥や陰干しをする際の補助具は無く、壁やベランダ手摺に立てかけて通風性を計り自然乾燥させているのが実態である。
【発明の開示】
【発明が解決しようとする課題】
【０００３】  上述のごとく、従来の壁やベランダ手摺に立てかける手段では、壁やベランダ手摺と乾燥物品との間は充分な風通しを得られず、また壁や手摺に汚痕やこすり傷を残しかねず、同時に乾燥物品にも同じ現象を与えることになる。その上、乾燥物品の下面と床面との接触部は乾燥物品の片側の隅のみが接触するため自重によって隅部を破損しかねない、これらの問題が生じる。【０００４】  本発明は、このような課題に鑑みてなされたものであり、家庭用品の日照乾燥や陰干しを行う際に乾燥物品を簡単に自立させる補助具で、乾燥場所を選ばず、その上、乾燥物品の下面隅部を痛めない家庭用品自立乾燥補助具の提供を目的とする。
【課題を解決するための手段】
【０００５】  上述の目的を達成する本発明の家庭用品自立乾燥補助具は、乾燥物品の背面を支える傾斜角度を持った傾斜支柱であって、これと乾燥物品の下面を支える受腕は傾斜支柱と直角交差することを特徴とする。【０００６】  傾斜支柱の下端部分は背面への転倒防止の役目も与えている。受腕の下端部分は傾斜支柱の下端部分とは反対の向きにあり前面への転倒防止の役目を与えている。【０００７】  傾斜支柱および受腕は、前後の調整移動を可能にする。そのために傾斜支柱下端部分と受腕下端部分との平行接受面に調整後の結合のための系止孔と系止ピンを有している。
【発明の効果】
【０００８】  以上説明したように本発明によれば、乾燥物品は傾斜角度を持った傾斜支柱によって背面を支えられ適当な傾きを得ることによって、自立はより安定し、前面は日照角をより得ることができ乾燥を増進させる。さらに自立することで乾燥場所をいとわず風通しや日照の良い場所が選択でき乾燥が容易となる。【０００９】  受腕は傾斜支柱と直角交差することで、乾燥物品の下面の全厚さを支え片隅を痛めることが無くなる。また、傾斜支柱および受腕を前後に調整移動可能とすることで本発明の補助具１基で数種類の乾燥物品の厚さに対応できる。【００１０】  系止ピンを取り外すことによって、傾斜支柱と受腕および系止ピンの部品に分解できるので、持ち運びや収納を容易にする。
【発明を実施するための最良の形態】
【００１１】  以下、本発明の実施の形態を図面に基づき詳細に説明する。【００１２】  図１〜図５は本発明の実施形態に係り、図１は  その外観斜視図である。
図２は  側面図、図３は  正面図、図４は  平面図、図５は  平面断面図である。【００１３】  図１，図２に示すように、傾斜支柱１は乾燥物品６の背面を支える役目であり、その高さ寸法の目安は乾燥物品６の形状にもより異なるが、おおよそ乾燥物品６の中央部を最小高さとし、上方に余裕を見て決める。【００１４】  図２に示すように、傾斜支柱１の傾斜角度が大きければ乾燥物品６は直立状態に近くなり、傾斜支柱１に寄りかかる荷重は小さくなり、不安定な自立となる。反対に傾斜角度が小さくなれば乾燥物品６はより安定するが、投影面積を多く必要とする。さらに乾燥物品６の傾斜は最良の日照を得るのに必要である。これらのことを考慮して傾斜角度は決定される。【００１５】  図２に示すように、傾斜支柱１の下端部分は背面への転倒防止の役目も与えている。故に、その終端はおおむね傾斜支柱１の頂部より垂線を下ろした位置より後方に余裕寸法を見計らって決定される。また、その終端は床面７を傷つけないように丸みを付けておくと有効である。そうして、この下端部分には受腕３と結合するための傾斜支柱付き系止孔２が設けられる。【００１６】  図２、図４に示すように、受腕３は乾燥物品６の下面を支える部分と移動を止める部分および前面への転倒防止の役目を与えている下端部分からなる。この下端部分には乾燥物品６の厚さに合わせ調整移動が可能な受腕付き系止孔４が横列に複数個設けられ、調整移動後この受腕付き系止孔４と傾斜支柱１の下端部分に設けた傾斜支柱付き系止孔２とは系止ピン５によって結合される。【００１７】  図２に示すように、受腕３の乾燥物品６の下面を支える部分は傾斜支柱１に直角交差するように適宜角度を設けることが重要である。【００１８】  図２に示すように、受腕３の下端部分には前面への転倒防止の役目も与えている。故に、その終端はおおむね乾燥部品６の前面線を延長した位置より前方で決定する。また、その終端は床面７を傷つけないように丸みを付けておくと有効である。【００１９】  図１，図３に示すように、家庭用品自立乾燥補助具自体の安定した座り状態が必要であり、そのための横方向の巾は傾斜支柱高さの１／５〜１／４を目安とする。重量物品や長尺物品の乾燥に際しては、複数個本発明の家庭用品自立乾燥補助具を並列して使用する。【００２０】  図２に示す符号３ａは受腕３の調整移動後の仮想状態を示すものである。
【実施例】
【００２１】  上記の、実施の形態に基づき寝具マットレス、畳等の大型家庭用品に本発明の家庭用品自立乾燥補助具を製作する場合、高さ８００、長さ４５０、巾１５０程度が望ましい。【００２２】以上、本発明の実施の形態を説明したが、本発明の範囲はこれに限定される物ではない。例えば、対象乾燥物品を限定することによって厚さ調整移動用の系止孔を無くして、受腕を直接傾斜支柱に固着したり、種々の形状が考案できるが、これらは状況に応じて適宜応用されるものである。【００２３】  また、傾斜支柱は乾燥物品の大きさに整合できる様に鞘管などを用いて伸縮可能とすることもできる。【００２４】  受腕の乾燥物品下面を支えるところには受圧面積を大きくする為や、当たりを和らげるパッドを取り付けることも可能である。【００２５】  本発明品を構成する各部材の材質や形状は、対象乾燥物品の重量、大きさ等を考慮の上、構造物として任意の物が利用できる。【００２６】  本発明品は、主に家庭用品が対象物品故に、清掃が容易で清潔感を与える形状、材質が望ましい。
【産業上の利用可能性】
【００２７】  本発明は、家庭用品の乾燥補助具としては勿論のこと、展示物品の自立補助具や平板状物品などの格納に幅広く利用できることが考えられる。これらの自立補助具を製造、販売する産業分野で利用することができる。
【図面の簡単な説明】
【００２８】
【図１】  本発明の実施の形態に係る家庭用品自立乾燥補助具の外観斜視図である。
【図２】  図１の家庭用品自立乾燥補助具の側面図。
【図３】  図１の家庭用品自立乾燥補助具の正面図。
【図４】  図１の家庭用品自立乾燥補助具の平面図。
【図５】  図１の家庭用品自立乾燥補助具の平面断面図。
【符号の説明】
【００２９】  １・・傾斜支柱、  ２・・傾斜支柱付き係止孔、  ３・・受腕、  ３ａ・・受腕調整移動後の仮想状態図、  ４・・受腕付き係止孔、  ５・・係止ピン、  ６・・乾燥物品の仮想状態図、  ７・・床面、
【図１】
2006280883.tif 000003
【図２】
2006280883.tif 000004
【図３】
2006280883.tif 000005
【図４】
2006280883.tif 000006
【図５】
2006280883.tif 000007